(57)【要約】【課題】  振動板の面積を拡大して音圧の向上を図る。【解決手段】  ヨーク１の内部に磁石２およびトッププレート３を積層して磁気回路部を構成し、磁気回路部のヨーク１の側壁の内周部とトッププレート３の外周部との間の磁気ギャップ部内にボイスコイル４を配置する。振動板６は、振動板中央ドーム部６ａの下に振動板エッジ部６ｂが配置され、振動板エッジ部６ｂは通気性のない材料よりなり、振動板中央ドーム部６ａの外側端部と振動板エッジ部６ｂの端部を接合する。その接合部６ｃにボイスコイル４を固着し、振動板エッジ部６ｂの内側端部をトッププレート３に接合する。振動板中央ドーム部６ａの下に振動板エッジ部６ｂを配置するため、磁気回路部やボイスコイル４が製品外形に極めて近い大きさにでき、振動板の有効面積が拡大され音圧が向上する。【選択図】  図１
2009010806.tif 000002
【特許請求の範囲】
【請求項１】
少なくとも、平坦部と立ち上がり部を有する形状をしたヨークと、該ヨークの内部に順次積層される板状の磁石およびトッププレートから構成される磁気回路部と、該磁気回路部のヨーク側壁の内周部とトッププレートの外周部との間に形成される磁気ギャップ部内に配置されるボイスコイルと、前記磁気ギャップ部でボイスコイルを保持すると共に、振動板中央ドーム部と振動板エッジ部を有する振動板と、前記磁気回路部を保持するフレームとよりなる電気音響変換器において、前記振動板は振動板中央ドーム部の下に振動板エッジ部が配置され、前記振動板エッジ部は通気性のない材料よりなり、前記振動板中央ドーム部の外側端部と前記振動板エッジ部の端部を接合すると共に、該接合部周辺に前記ボイスコイルを固着し、前記振動板エッジ部の内側端部を、前記磁気回路部を構成するヨーク、磁石、トッププレートの少なくとも1つに、直接、又は別の部品を介し接合したことを特徴とする電気音響変換器。
【請求項２】
少なくとも、平坦部と立ち上がり部を有する形状をしたヨークと、該ヨークの内部に順次積層される板状の磁石およびトッププレートから構成される磁気回路部と、該磁気回路部のヨークの側壁の内周部とトッププレートの外周部との間に形成される磁気ギャップ部内に配置されるボイスコイルと、磁気ギャップ部でボイスコイルを保持すると共に、振動板中央ドーム部と振動板エッジ部を有する振動板と、前記磁気回路部を保持するフレームとよりなる電気音響変換器において、前記振動板は振動板中央ドーム部の下に振動板エッジ部が配置され、前記振動板エッジ部は通気性のある形状または材料よりなり、前記振動板中央ドーム部の外側端部と前記振動板エッジ部の端部を接合すると共に、該接合部周辺に前記ボイスコイルを固着し、前記振動板エッジ部の内側端部を、前記磁気回路部を構成するヨーク、磁石、トッププレートの少なくとも1つに、直接、又は別の部品を介し接合し、前記磁気ギャップ部に液体を塗布したことを特徴とする電気音響変換器。
【請求項３】
前記磁気ギャップ部に塗布する液体は、磁性材料またはシリコーンオイルよりなることを特徴とする請求項２記載の電気音響変換器。
【請求項４】
少なくとも、平坦部と立ち上がり部を有する形状をしたヨークと、該ヨークの内部に順次積層される板状の磁石およびトッププレートから構成される磁気回路部と、該磁気回路部のヨークの側壁の内周部とトッププレートの外周部との間に形成される磁気ギャップ部内に配置されるボイスコイルと、磁気ギャップ部でボイスコイルを保持すると共に、振動板中央ドーム部と振動板エッジ部を有する振動板と、前記磁気回路部を保持するフレームとよりなる電気音響変換器において、前記磁気ギャップ部のヨーク底面に空気孔を設け、前記振動板は、振動板中央ドーム部の下に振動板エッジ部が配置され、前記振動板エッジ部は通気性のある形状または材料よりなり、前記振動板中央ドーム部の外側端部と前記振動板エッジ部の端部を接合すると共に、該接合部周辺に前記ボイスコイルを固着し、前記振動板エッジ部の内側端部を、前記磁気回路部を構成するヨーク、磁石、トッププレートの少なくとも1つに、直接、又は別の部品を介し接合し、前記磁気ギャップ部に液体を塗布したことを特徴とする電気音響変換器。
【請求項５】
前記振動板を構成する振動板エッジ部または振動板中央ドーム部のいずれか一方の端部に、前記ボイスコイルの高さを位置決めする位置決め部を形成したことを特徴とする請求項１〜４のいずれか１項記載の電気音響変換器。
【請求項６】
前記ボイスコイルの高さを位置決めする位置決め部の形状は、L字型またはU字型に形成されていることを特徴とする請求項５記載の電気音響変換器。
【請求項７】
前記ボイスコイルの高さを位置決めするL字型位置決め部に、直接コイルを巻き線したことを特徴とする請求項５または６記載の電気音響変換器。
【請求項８】
前記ボイスコイルの高さを位置決めするL字型またはU字型に形成された位置決め部に、ボイスコイルを接着したことを特徴とする請求項６記載の電気音響変換器。
【請求項９】
前記ボイスコイルを接合する周辺の振動板中央ドーム部の端部と振動板エッジ部の端部の振動板延長部のいずれか一方または両方を、ヨーク側壁の内周部より外周方向に延長したことを特徴とする請求項１〜４のいずれか１項記載の電気音響変換器。
【発明の詳細な説明】
【技術分野】
【０００１】
本発明は、携帯電話やＰＤＡなどの移動通信機器に組み込まれ、振動板を振動させる事により、着信を知らせる電気音響変換器に関する。
【背景技術】
【０００２】
従来、携帯電話やＰＤＡなどの移動通信機器には、使用者に着信を知らせるのに、ブザー音やメロディ音を発生したり、音を出さずに機器の筐体を振動させるように切り替えて使用するように構成されている。このような電気音響変換器は、フレームに保持したヨークと、ヨークの底面に接合する磁石と、この磁石の上面に接合するトッププレートとで内磁型磁気回路を構成し、ヨークの内側面とトッププレートの外側面との間にボイスコイルを嵌め込む磁気ギャップ部を形成している。そして、ボイスコイルに音信号電流を供給すると、磁気ギャップ部の磁界との磁気作用により、ボイスコイルを固定している振動板が振動して音響や音声を発生する。上記した内磁型磁気回路を備えた電気音響変換器が開示されている。（例えば、特許文献１参照）
【０００３】
【特許文献１】特開２００３−１４３６７６号（第４〜５頁、図１０）
【０００４】
上記した特許文献１に開示されている電気音響変換器の構造は、図１０で示されるように、磁気回路付ケース２１は、軟磁性材でカップ状のヨーク２２を樹脂性のケース２３にインサートモールド成形したものである。前記ヨーク２２の内に円筒形で軸方向に着磁した永久磁石２４と軟磁性材よりなるトッププレート２５が積層・固着されている。前記磁石２４、トッププレート２５及びヨーク２２で磁気回路部を構成する。振動板２６は薄い樹脂性の円板で同心円状の波形に形成され、振動板中央ドーム部２６ａと振動板エッジ部２６ｂで構成され、振動板中央ドーム部２６ａと振動板エッジ部２６ｂの境に設けられた平らな部分にボイスコイル２７が接着され一体化されている。前記ケース２３の上端には段差部が設けられ、振動板エッジ部２６ｂの端部を落とし込み、押さえリング２８で挟持して接着する。更に、その上から、複数の放音孔２９ａを上面に明けた薄い金属製で浅い皿状のプロテクター２９の外周部を落とし込んで接着する。前記ケース２３には数個の通気孔３０が設けられている。
【０００５】
前記電気音響変換器の主な特性を決める要素は、磁力：Ｂ、ボイスコイル径：Ｌ、電流：Ｉ振動系質量：Ｍｏ（ボイスコイル、振動板、接着剤等を含めた振動系の質量）、スティッフネス：Ｓｏ（振動板の動き難さを表し、主に振動板エッジ部にて決まる値）、振動板有効面積：Ｓｄ（振動板の面積で音を出すために使用される振動板の面積）、Ａ：各スピーカ固有の変数とすると、
音圧＝Ａ×Ｂ×Ｌ×Ｉ×Ｓｄ／（Ｓｏ×Ｍｏ）
で表すことができる。
【発明の開示】
【発明が解決しようとする課題】
【０００６】
解決しようとする問題点としては、上記した特許文献１に開示した電気音響変換器では
振動板を構成する振動板中央ドーム部と振動板エッジ部が平面的に配置され、振動板の外
形はプロテクターの側壁の内側にほぼ一杯に占めている。しかしながら、上記した振動板
の構造では、製品外形より振動板中央ドーム部を大きくするには限度があり、振動板の有
効面積を大きくすることができず、更なる音圧の向上を図ることは困難である。などの問
題があった。
【０００７】
本発明は、上述の欠点を解消するもので、その目的は、振動板エッジ部を振動板中央ドーム部の下に配置して、磁気回路部やボイスコイルが製品の外形に極めて近い大きさに設定し、音圧の向上を図り、信頼性に優れた電気音響変換器を提供するものである。
【課題を解決するための手段】
【０００８】
上記目的を達成するために、本発明における電気音響変換器は、平坦部と立ち上がり部を有する形状をしたヨークと、該ヨークの内部に順次積層される板状の磁石およびトッププレートから構成される磁気回路部と、該磁気回路部のヨークの側壁の内周部とトッププレートの外周部との間に形成される磁気ギャップ部内に配置されるボイスコイルと、前記磁気ギャップ部でボイスコイルを保持すると共に、振動板中央ドーム部と振動板エッジ部を有する振動板と、前記磁気回路部を保持するフレームとよりなる電気音響変換器において、前記振動板は、振動板中央ドーム部の下に振動板エッジ部が配置され、前記振動板エッジ部は通気性のない材料よりなり、前記振動板中央ドーム部の外側端部と前記振動板エッジ部の端部を接合すると共に、該接合部周辺に前記ボイスコイルを固着し、前記振動板エッジ部の内側端部を、前記磁気回路部を構成するヨーク、磁石、トッププレートの少なくとも1つに、直接、又は別の部品を介し接合したことを特徴とするものである。
【０００９】
また、平坦部と立ち上がり部を有する形状をしたヨークと、該ヨークの内部に順次積層される板状の磁石およびトッププレートから構成される磁気回路部と、該磁気回路部のヨークの側壁の内周部とトッププレートの外周部との間に形成される磁気ギャップ部内に配置されるボイスコイルと、前記磁気ギャップ部でボイスコイルを保持すると共に、振動板中央ドーム部と振動板エッジ部を有する振動板と、前記磁気回路部を保持するフレームとよりなる電気音響変換器において、前記振動板は、振動板中央ドーム部の下に振動板エッジ部が配置され、前記振動板エッジ部は通気性のある形状または材料よりなり、前記振動板中央ドーム部の外側端部と前記振動板エッジ部の端部を接合すると共に、該接合部周辺に前記ボイスコイルを固着し、前記振動板エッジ部の内側端部を、前記磁気回路部を構成するヨーク、磁石、トッププレートの少なくとも1つに、直接、又は別の部品を介し接合し、前記磁気ギャップ部に液体を塗布したことを特徴とするものである。
【００１０】
また、前記磁気ギャップ部に塗布する液体は、磁性材料またはシリコーンオイルよりなることを特徴とするものである。
【００１１】
また、平坦部と立ち上がり部を有する形状をしたヨークと、該ヨークの内部に順次積層される板状の磁石およびトッププレートから構成される磁気回路部と、該磁気回路部のヨークの側壁の内周部とトッププレートの外周部との間に形成される磁気ギャップ部内に配置されるボイスコイルと、前記磁気ギャップ部でボイスコイルを保持すると共に、振動板中央ドーム部と振動板エッジ部を有する振動板と、前記磁気回路部を保持するフレームとよりなる電気音響変換器において、前記磁気ギャップ部のヨーク底面に空気孔を設け、前記振動板は、振動板中央ドーム部の下に振動板エッジ部が配置され、前記振動板エッジ部は通気性のある形状または材料よりなり、前記振動板中央ドーム部の外側端部と前記振動板エッジ部の端部を接合すると共に、該接合部周辺に前記ボイスコイルを固着し、前記振動板エッジ部の内側端部を、前記磁気回路部を構成するヨーク、磁石、トッププレートの少なくとも1つに、直接、又は別の部品を介し接合し、前記磁気ギャップ部に液体を塗布したことを特徴とするものである。
【００１２】
また、前記振動板を構成する振動板エッジ部または振動板中央ドーム部のいずれか一方の端部に、前記ボイスコイルの高さを位置決めする位置決め部を形成したことを特徴とするものである。
【００１３】
また、前記ボイスコイルの高さを位置決めする位置決め部の形状は、L字型またはU字型に形成されていることを特徴とするものである。
【００１４】
また、前記ボイスコイルの高さを位置決めするL字型位置決め部に、直接コイルを巻き線したことを特徴とするものである。
【００１５】
また、前記ボイスコイルの高さを位置決めするL字型またはU字型に形成された位置決め部に、ボイスコイルを接着したことを特徴とするものである。
【００１６】
また、前記ボイスコイルを接合する周辺の振動板中央ドーム部の端部と振動板エッジ部の端部の振動板延長部のいずれか一方または両方を、ヨーク側壁の内周部より外周方向に延長したことを特徴とするものである。
【発明の効果】
【００１７】
本発明の電気音響変換器は、振動板エッジ部を振動板中央ドーム部の下に配置して、磁気回路部やボイスコイルが製品の外形に極めて近い大きさに設定し、音圧の向上を図ることができる。また、前記振動板を構成する振動板エッジ部または振動板中央ドーム部のいずれか一方の端部に、前記ボイスコイルの高さを位置決めする位置決め部を形成することにより、ボイスコイルの位置決めが容易になり、歩留まりが向上する。更に、ボイスコイルと振動板の接着エリアが大きいため、熱によるコイルのばらけが発生し難い。また、前記ボイスコイルの高さを位置決めするL字型位置決め部に、直接コイルが巻けるため、生産性が向上する。更に、前記ボイスコイルを接合する周辺の振動板中央ドーム部の端部と振動板エッジ部の端部のいずれか一方または両方を、ヨーク側壁の内周部より外周方向に延長するため、振動板の有効面積が大きくなり、音圧が向上する。など、信頼性に優れた電気音響変換器を提供することが可能である。
【発明を実施するための最良の形態】
【００１８】
本発明の電気音響変換器について、図面に基づいて説明する。
【実施例１】
【００１９】
図１は、本発明の実施例１に係わる電気音響変換器の断面図である。図１において、従来例と同様に、磁気回路部は、略碗形状をしたヨーク１と、該ヨーク１の内部に順次積み重ねられる平板状の磁石２およびトッププレート３から構成される。そして、この磁気回路部と、ヨーク１の側壁の内周部と平板状のトッププレート３の外周部との間に形成される磁気ギャップ部内にボイスコイル４を配設する。前記ヨーク１は樹脂性のフレーム５にインサートモールド成形したものである。振動板６は薄い樹脂性の円板で同心円状の波形に形成され、振動板中央ドーム部６ａと振動板エッジ部６ｂで構成され、振動板中央ドーム部６ａの下に振動板エッジ部６ｂが配置されている。前記振動板エッジ部６ｂは通気性のない材料（例えば、PＥN、PＥT等）よりなり、前記振動板中央ドーム部６ａの外側端部と前記振動板エッジ部６ｂの端部を接合する。該接合部６ｃに前記ボイスコイル４を固着する。前記振動板エッジ部６ｂの内側端部６ｄを、前記磁気回路部を構成するヨーク１、磁石２、トッププレート３の少なくとも1つに、直接、又は別の部品を介し（図１では、トッププレート３のみに直接）に接合する。前記フレーム５の上端においてプロテクター７と接着する。
実施例においては1例の形状にて記載したが、プロテクターの無い場合についても同様の効果を有することは言うまでもない。
また、平坦部と立ち上がり部を有する形状をしたヨークは一部、切り欠け部を要したり、折り曲げにて立ち上がり部を作製した形状についても同様の効果を有することは言うまでもない。
さらに、段落０００５に記述した音圧の計算式より、スティッフネス：Ｓｏが小さい方が音圧は高くなるが、振動板エッジ部が柔らかくなる為、扱いが難しく作業性が悪い。その為、一般的スピーカにおいても金属リング等を振動板エッジ部端部に貼り付け、作業性の改善を行っており、前記振動板エッジ部６ｂの内側端部６ｄを、前記磁気回路部を構成するヨーク１、磁石２、トッププレート３の少なくとも1つに、別の部品（例えば、金属リング）を介し接合した場合についても特性の向上は図られ、作業性の改善も行うことができる。
【００２０】
前記振動板中央ドーム部６ａの下に振動板エッジ部６ｂを収納した電気音響変換器を、エンクロジャーに収めた場合、スピーカは空間１（Ａ）と空間２（Ｂ）を分離した構造でなければ、音が打ち消しあってしまい、十分な性能がでないため、前記振動板エッジ部６ｂは通気性のない材料が必要である。
【００２１】
上記構成の電気音響変換器の作用・効果について説明する。振動板中央ドーム部６ａの下に振動板エッジ部６ｂが配置した構造のため、磁気回路部やボイスコイル４が製品外形に極めて近い大きさにできるので、音圧が向上する。
【実施例２】
【００２２】
図２及び３は、本発明の実施例２に係わり、図２は、電気音響変換器の断面図、図３（ａ）は図２の振動板エッジ部の平面図、図３（ｂ）は図３（ａ）の正面図である。図２及び図３において、上記した実施例１と同様に、磁気回路部は、ヨーク１と、ヨーク１の内部に積層された磁石２およびトッププレート３から構成される。ヨーク１の側壁の内周部とトッププレート３の外周部との間に形成される磁気ギャップ部内にボイスコイル４を配設する。前記ヨーク１は樹脂性のフレーム５にインサートモールド成形したものである。振動板６は振動板中央ドーム部６ａと振動板エッジ部６ｂで構成され、振動板中央ドーム部６ａの下に振動板エッジ部６ｂが配置されている。前記振動板中央ドーム部６ａの外側端部と前記振動板エッジ部６ｂの端部を接合する。該接合部６ｃに前記ボイスコイル４を固着する。前記振動板エッジ部６ｂの内側端部６ｄを、前記磁気回路部を構成するヨーク１、磁石２、トッププレート３の少なくとも1つに、直接、又は別の部品を介し（図２では、トッププレート３のみに直接）に接合する。前記フレーム５の上端においてプロテクター７と接着する。本実施例２が実施例１と異なるところは、前記振動板エッジ部６ｂは通気性のある形状または材料（例えば、ＰＥＮ、ＰＥＴ等に空気孔６ｅを開ける。または、メッシュ材等）よりなる。また、前記磁気ギャップ部に液体８（例えば、磁性流体やシリコーンオイル等）を塗布する。
実施例においては1例の形状にて記載したが、プロテクターの無い場合についても同様の効果を有することは言うまでもない。
また、平坦部と立ち上がり部を有する形状をしたヨークは一部、切り欠け部を要したり、折り曲げにて立ち上がり部を作製した形状についても同様の効果を有することは言うまでもない。
さらに、段落０００５に記述した音圧の計算式より、スティッフネス：Ｓｏが小さい方が音圧は高くなるが、振動板エッジ部が柔らかくなる為、扱いが難しく作業性が悪い。その為、一般的スピーカにおいても金属リング等を振動板エッジ部端部に貼り付け、作業性の改善を行っており、前記振動板エッジ部６ｂの内側端部６ｄを、前記磁気回路部を構成するヨーク１、磁石２、トッププレート３の少なくとも1つに、別の部品（例えば、金属リング）を介し接合した場合についても特性の向上は図られ、作業性の改善も行うことができる。
【００２３】
前記振動板中央ドーム部６ａの下に振動板エッジ部６ｂを収納した電気音響変換器を、エンクロジャーに収めた場合、スピーカは空間１（Ａ）と空間２（Ｂ）を分離した構造でなければ、音が打ち消しあってしまい、十分な性能がでないため、前記振動板エッジ部ｂの材料選択の幅を広げるために通気性のある形状や材料を選択した場合、空間が分離できないため、磁気ギャップ部に液体８を塗布することにより、空間分離を可能にする。
【００２４】
上記構成の電気音響変換器の作用・効果について説明する。実施例１と同様に、振動板中央ドーム部６ａの下に振動板エッジ部６ｂが配置した構造のため、磁気回路部やボイスコイル４が製品外形に極めて近い大きさにできるので音圧が向上する。また、振動板エッジ部６ｂの材料の選択の幅が拡大される。
【実施例３】
【００２５】
図４及び５は、本発明の実施例３に係わり、図４は、電気音響変換器の断面図、図５は、図４の裏面図である。図４及び図５において、上記した実施例２と略同等であるが、実施例２と異なるところは、磁気ギャップ部のヨーク１の底面の空気孔１ａを開けることである。図４及び５の場合、ボイスコイル４が大きく駆動する場合、空間３（Ｃ）の圧力が変動し、ボイスコイル４の動きを抑制してしまう。ボイスコイル４が大振幅しない場合は必要ないが、大振幅するスピーカの場合にはヨーク４の底面の空気孔１ａを開けて対応する必要がある。
【００２６】
上記構成の電気音響変換器の作用・効果について説明する。実施例１、実施例２と同様に、振動板中央ドーム部６ａの下に振動板エッジ部６ｂが配置した構造のため、磁気回路部やボイスコイル４が製品外形に極めて近い大きさにできるので音圧が向上する。また、振動板エッジ部６ｂの材料の選択の幅が拡大される。更に、大振幅するスピーカの場合に対応できる。
【実施例４】
【００２７】
図６は、本発明の実施例４に係わる電気音響変換器の断面図である。図６において、上記した実施例１と略同等であるが、実施例１と異なるところは、振動板エッジ部６ｂと振動板中央ドーム部６ａと接合する端部に、ボイスコイル４の高さを位置決めする位置決め部６ｆを設けたところである。この位置決め部６ｆの形状は、ボイスコイル４の高さに合致するようにＬ字型（図６はＬ字型）またはU字型に形成されている。図６では、位置決め部６ｆを振動板エッジ部６ｂ側に設けてが、振動板中央ドーム部６ａ側に設けても良い。また、前記振動板エッジ部６ｂに設けた位置決め部６ｆに、直接コイルを巻き線することが可能であり、生産性が向上する。更に、前記L字型に形成された位置決め部６ｆとボイスコイル４を接着することにより、コイルの熱によるばらけを防止することができる。
【実施例５】
【００２８】
図７は、本発明の実施例５に係わる電気音響変換器の断面図である。図７において、上記した実施例１と略同等であるが、実施例１と異なるところは、前記ボイスコイル４を接合する周辺の振動板中央ドーム部６ａの端部と振動板エッジ部６ｂの端部の振動板延長部６ｇのいずれか一方または両方（図７では両方）を、前記ヨーク側壁の内周部より外周方向にあるスペースＤ内に延長したことを特徴とするものである。振動板６の外形を更に製品外形に近くなるように大きく配置できるので、振動板６の有効面積が大きくなり、音圧が向上する。
【００２９】
以上述べた実施例では、略碗形状の場合の磁気回路について説明したが、磁気回路としては図８に示すようにボイスコイルを長四角形にできる場合、或いは図９に示すようにボイスコイルを長円形にできる場合でも良いことは言うまでもない。
【００３０】
以上述べた構成の電気音響変換器は、振動板エッジ部を振動板中央ドーム部の下に配置して、磁気回路部やボイスコイルが製品の外形に極めて近い大きさに設定し、音圧の向上を図ることができる。また、前記振動板を構成する振動板エッジ部または振動板中央ドーム部のいずれか一方の端部に、前記ボイスコイルの高さを位置決めする位置決め部を形成することにより、ボイスコイルの位置決めが容易になり、歩留まりが向上する。更に、ボイスコイルと振動板の接着エリアが大きいため、熱によるコイルのばらけが発生し難い。また、前記ボイスコイルの高さを位置決めするL字型位置決め部に、直接コイルが巻けるため、生産性が向上する。更に、前記ボイスコイルを接合する周辺の振動板中央ドーム部の端部と振動板エッジ部の端部のいずれか一方または両方を、前記ヨーク側壁の内周部より外周方向にあるスペース内に延長するため、振動板の有効面積が大きくなり、音圧が向上する。など、薄型で信頼性に優れた電気音響変換器を提供することができる。
【図面の簡単な説明】
【００３１】
【図１】本発明の実施例１に係わる電気音響変換器の断面図である。
【図２】本発明の実施例２に係わる電気音響変換器の断面図である。
【図３】（ａ）は図２の振動板エッジ部の平面図、（ｂ）は（ａ）の正面図である。
【図４】本発明の実施例３に係わる電気音響変換器の断面図である。
【図５】図４の裏面図である。
【図６】本発明の実施例４に係わる電気音響変換器の断面図である。
【図７】本発明の実施例５に係わる電気音響変換器の断面図である。
【図８】他の磁気回路構造である。（ａ）は平面図、（ｂ）は正面断面図、（ｃ）は側面断面図である。
【図９】他の磁気回路構造である。（ａ）は平面図、（ｂ）は正面断面図、（ｃ）は側面断面図である。
【図１０】従来の電気音響変換器の断面図である。
【符号の説明】
【００３２】
１  ヨーク
１ａ  空気孔
２  磁石
３  トッププレート
４  ボイスコイル
５  フレーム
６  振動板
６ａ  振動板中央ドーム部
６ｂ  振動板エッジ部
６ｃ  接合部
６ｄ  内側端部
６ｅ  空気孔
６ｆ  位置決め部
６ｇ  振動板延長部
７  プロテクター
８  液体
Ａ  空間１
Ｂ  空間２
Ｃ  空間３
Ｄ  ヨーク側壁の内周部より外周方向にあるスペース
【図１】
2009010806.tif 000003
【図２】
2009010806.tif 000004
【図３】
2009010806.tif 000005
【図４】
2009010806.tif 000006
【図５】
2009010806.tif 000007
【図６】
2009010806.tif 000008
【図７】
2009010806.tif 000009
【図８】
2009010806.tif 000010
【図９】
2009010806.tif 000011
【図１０】
2009010806.tif 000012